【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
表面に静電潜像が形成される像担持体と、
現像剤を収容し、前記像担持体表面に当接する回転可能な現像剤担持体、及び画像形成履歴情報を記憶するための記憶手段を備え、前記現像剤担持体が前記現像剤を前記静電潜像へと移動させることによって前記像担持体表面の前記静電潜像を可視化する現像手段と、
前記現像手段内に残存する前記現像剤量を検知する現像剤残量検知手段と、
前記現像剤担持体を前記像担持体表面に対して当接、離間可能とする接離機構と、
前記現像手段を使用した２回目以降の画像形成前の準備工程において、前記記憶手段に記憶されている前記画像形成履歴情報に基づいて、前回の画像形成終了時から今回の画像形成開始時までの経過時間を求め、前記経過時間と前記現像剤残量検知手段で検知された現像剤残量情報とに応じて、前記接離機構により前記像担持体と前記現像剤担持体とを離間させた状態で、前記現像剤担持体を予め設定された時間動作させる制御手段と、
を有することを特徴とする画像形成装置。
【請求項２】
更に、装置本体の環境状態を検知する環境検知手段を有し、前記制御手段は、前記現像手段を使用した２回目以降の画像形成前の準備工程において、前記経過時間と、前記環境検知手段により検出された環境情報と、に応じて、前記像担持体と前記現像剤担持体とを離間させた状態において、前記現像剤担持体を予め設定された時間動作させることを特徴とする請求項１に記載の画像形成装置。
【請求項３】
前記制御手段によってなされる前記現像剤担持体の予め設定された時間の動作とは、前記現像剤に電荷を付与する動作であることを特徴とする請求項１又は２に記載の画像形成装置。
【請求項４】
前記画像形成前とは、少なくとも、前記現像剤担持体が前記現像剤を前記静電潜像へと移動させる前であることを特徴とする請求項１〜３のいずれかに記載の画像形成装置。
【請求項５】
前記現像剤は、一成分非磁性トナーであることを特徴とする請求項１〜４のいずれかに記載の画像形成装置。
【請求項６】
前記現像手段は、画像形成装置に対し着脱可能な現像カートリッジであることを特徴とする請求項１〜５のいずれかに記載の画像形成装置。
【請求項７】
表面に静電潜像が形成される像担持体と、
現像剤を収容し、前記像担持体表面に当接する回転可能な現像剤担持体、及び画像形成履歴情報と前記現像剤の色情報とを記憶するための記憶手段を備え、前記現像剤担持体が前記現像剤を前記静電潜像へと移動させることによって前記像担持体表面の前記静電潜像を可視化する現像手段と、
前記現像剤担持体を前記像担持体表面に対して当接、離間可能とする接離機構と、
前記現像手段を使用した画像形成前の準備工程において、前記記憶手段に記憶された画像形成履歴の有無に基づいて、前記現像手段が未使用状態であるか否かを識別し、前記現像手段が未使用状態であると認識した場合に、前記色情報に応じて、前記現像剤担持体を、前記像担持体表面から離間した状態で、予め設定された時間動作させる制御手段と、
を有することを特徴とする画像形成装置。
【請求項８】
更に、装置本体の環境状態を検知する環境検知手段を有し、
前記現像手段を使用した画像形成前の準備工程において、前記現像手段が未使用状態であると認識した場合、前記制御手段は、前記環境検知手段により得られた環境情報に応じて、前記現像剤担持体の動作時間を制御することを特徴とする請求項７に記載の画像形成装置。
【請求項９】
前記制御手段によってなされる前記現像剤担持体の予め設定された時間の動作とは、前記現像剤に電荷を付与する動作であることを特徴とする請求項７又は８に記載の画像形成装置。
【請求項１０】
前記画像形成前とは、少なくとも、前記現像剤担持体が前記現像剤を前記静電潜像へと移動させる前であることを特徴とする請求項７〜９のいずれかに記載の画像形成装置。
【請求項１１】
前記現像剤は、一成分非磁性トナーであることを特徴とする請求項７〜１０のいずれかに記載の画像形成装置。
【請求項１２】
前記現像手段は、画像形成装置に対し着脱可能な現像カートリッジであることを特徴とする請求項７〜１１のいずれかに記載の画像形成装置。
【請求項１３】
表面に静電潜像が形成される像担持体と、
現像剤を収容し、前記像担持体表面に当接する回転可能な現像剤担持体を有し、前記現像剤担持体を前記像担持体に接触させた状態で、前記現像剤担持体から前記現像剤を前記静電潜像へと移動させることによって前記像担持体表面の前記静電潜像を可視化する現像手段と、
前記現像剤担持体を前記像担持体表面に対して当接、離間可能とする接離機構と、
前記現像手段が未使用状態である場合に、前記現像剤の色情報に基づいて、前記現像剤担持体を前記像担持体表面から離間した状態で、前記現像剤担持体を予め設定された時間動作させる制御手段と、
を有することを特徴とする画像形成装置。
【請求項１４】
前記制御手段は、前記現像手段が未使用状態である場合に、前記画像形成装置本体の環境情報に基づいて、前記現像剤担持体を前記像担持体表面から離間した状態で、前記現像剤担持体を予め設定された時間動作させることを特徴とする請求項１３に記載の画像形成装置。
【請求項１５】
前記制御手段によってなされる前記現像剤担持体の予め設定された時間の動作とは、前記現像剤に電荷を付与する動作であることを特徴とする請求項１３又は１４に記載の画像形成装置。
【請求項１６】
表面に静電潜像が形成される像担持体と、
現像剤を収容し、前記像担持体表面に当接する回転可能な現像剤担持体を有し、前記現像剤担持体が前記現像剤を前記静電潜像へと移動させることによって前記像担持体表面の前記静電潜像を可視化する現像手段と、
前回の画像形成終了時から今回の画像形成開始時までの経過時間と、前記現像剤の残量情報とに応じて、前記現像剤担持体を動作させる制御手段と、
を有することを特徴とする画像形成装置。
【請求項１７】
前記制御手段は、前記現像剤担持体を前記像担持体表面から離間した状態で、前記現像剤担持体を予め設定された時間動作させることを特徴とする請求項１６に記載の画像形成装置。
【請求項１８】
前記制御手段は、前記経過時間と前記画像形成装置本体の環境情報に基づいて、前記現像剤担持体を前記像担持体表面から離間した状態で、前記現像剤担持体を予め設定された時間動作させることを特徴とする請求項１６に記載の画像形成装置。
【請求項１９】
前記制御手段によってなされる前記現像剤担持体の予め設定された時間の動作とは、前記現像剤に電荷を付与する動作であることを特徴とする請求項１６〜１８のいずれかに記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、電子写真方式、静電記録方式等を用い、現像剤担持体による接触現像方式にて現像動作を行う現像手段を有する画像形成装置に関するものである。
【手続補正４】
【補正対象書類名】明細書
【補正対象項目名】００２７
【補正方法】変更
【補正の内容】
【００２７】
本発明の目的は、現像手段においてトナーを十分に帯電し、トナーの帯電量不足による画像不良の発生を回避し、良好な画像を形成する画像形成装置を提供することにある。そして更に、長時間放置状態を経た後の画像形成においても、又は、未使用状態の現像手段を用いた画像形成においても、良好な画像を形成する画像形成装置を提供することである。
【手続補正５】
【補正対象書類名】明細書
【補正対象項目名】００２８
【補正方法】変更
【補正の内容】
【００２８】
上記目的は本発明に係る画像形成装置にて達成される。要約すれば、第１の本発明は、表面に静電潜像が形成される像担持体と、
現像剤を収容し、前記像担持体表面に当接する回転可能な現像剤担持体、及び画像形成履歴情報を記憶するための記憶手段を備え、前記現像剤担持体が前記現像剤を前記静電潜像へと移動させることによって前記像担持体表面の前記静電潜像を可視化する現像手段と、
前記現像手段内に残存する前記現像剤量を検知する現像剤残量検知手段と、
前記現像剤担持体を前記像担持体表面に対して当接、離間可能とする接離機構と、
前記現像手段を使用した２回目以降の画像形成前の準備工程において、前記記憶手段に記憶されている前記画像形成履歴情報に基づいて、前回の画像形成終了時から今回の画像形成開始時までの経過時間を求め、前記経過時間と前記現像剤残量検知手段で検知された現像剤残量情報とに応じて、前記接離機構により前記像担持体と前記現像剤担持体とを離間させた状態で、前記現像剤担持体を予め設定された時間動作させる制御手段と、
を有することを特徴とする画像形成装置を提供する。
【手続補正６】
【補正対象書類名】明細書
【補正対象項目名】００２９
【補正方法】変更
【補正の内容】
【００２９】
第２の本発明は、表面に静電潜像が形成される像担持体と、
現像剤を収容し、前記像担持体表面に当接する回転可能な現像剤担持体、及び画像形成履歴情報と前記現像剤の色情報とを記憶するための記憶手段を備え、前記現像剤担持体が前記現像剤を前記静電潜像へと移動させることによって前記像担持体表面の前記静電潜像を可視化する現像手段と、
前記現像剤担持体を前記像担持体表面に対して当接、離間可能とする接離機構と、
前記現像手段を使用した画像形成前の準備工程において、前記記憶手段に記憶された画像形成履歴の有無に基づいて、前記現像手段が未使用状態であるか否かを識別し、前記現像手段が未使用状態であると認識した場合に、前記色情報に応じて、前記現像剤担持体を、前記像担持体表面から離間した状態で、予め設定された時間動作させる制御手段と、
を有することを特徴とする画像形成装置を提供する。
【手続補正７】
【補正対象書類名】明細書
【補正対象項目名】００３０
【補正方法】変更
【補正の内容】
【００３０】
第３の本発明は、表面に静電潜像が形成される像担持体と、
現像剤を収容し、前記像担持体表面に当接する回転可能な現像剤担持体を有し、前記現像剤担持体を前記像担持体に接触させた状態で、前記現像剤担持体から前記現像剤を前記静電潜像へと移動させることによって前記像担持体表面の前記静電潜像を可視化する現像手段と、
前記現像剤担持体を前記像担持体表面に対して当接、離間可能とする接離機構と、
前記現像手段が未使用状態である場合に、前記現像剤の色情報に基づいて、前記現像剤担持体を前記像担持体表面から離間した状態で、前記現像剤担持体を予め設定された時間動作させる制御手段と、
を有することを特徴とする画像形成装置を提供する。
【手続補正８】
【補正対象書類名】明細書
【補正対象項目名】００３１
【補正方法】変更
【補正の内容】
【００３１】
第４の本発明は、表面に静電潜像が形成される像担持体と、
現像剤を収容し、前記像担持体表面に当接する回転可能な現像剤担持体を有し、前記現像剤担持体が前記現像剤を前記静電潜像へと移動させることによって前記像担持体表面の前記静電潜像を可視化する現像手段と、
前回の画像形成終了時から今回の画像形成開始時までの経過時間と、前記現像剤の残量情報とに応じて、前記現像剤担持体を動作させる制御手段と、
を有することを特徴とする画像形成装置を提供する。
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】